(57)【特許請求の範囲】
【請求項１】
前段の光伝送路を介して波長多重光を入力し、レベル制御指令に応じてその波長多重光が一定レベルになるように制御するレベル等化部と、
上記レベル等化部を通じた波長多重光を分波および合波する光パス制御部と、
上記光パス制御部を通じた波長多重光を所定のレベルに増幅し、後段の光伝送路に出力する光増幅部と、
上記前段の光伝送路を介して入力される波長多重光のレベル変動率を検出するレベル検出部と、
上記レベル検出部により検出されるレベル変動率が予め設定されたレベル閾値よりも大きい場合に上記レベル等化部にレベル制御指令を出力する比較判定部とを備えた波長多重装置を複数段連続接続し、
それら複数段連続接続された波長多重装置のうちのｎ（ｎは２以上の任意の自然数）段連続接続された波長多重装置の比較判定部のレベル閾値は、
α＞Ｔｎ＞Ｔｎ−１＞・・・＞Ｔ２＞Ｔ１＞β
（但し、αは、光ファイバへの応力等による瞬間的なレベル変動時に想定され
るレベル変動率であり、Ｔｎ〜Ｔ１は、ｎ段連続接続された波長多重装置の
うちの最前段の波長多重装置の比較判定部のレベル閾値をＴ１とし、以下、
順に接続される後段の波長多重装置の比較判定部のレベル閾値をＴ２・・・
Ｔｎ−１とし、最後段の波長多重装置の比較判定部のレベル閾値をＴｎとし
たものであり、βは、多重波長数の変化によるレベル変動時に想定されるレ
ベル変動率である。）
に設定されたことを特徴とする波長多重光通信システム。
【請求項２】
複数段連続接続された波長多重装置のうちのｎのｍ（ｍは２以上の任意の自然数）倍段連続接続された波長多重装置の比較判定部のレベル閾値は、
ｎ段連続接続された波長多重装置の比較判定部のレベル閾値を、ｎのｍ倍段繰り返すように設定されたことを特徴とする請求項１記載の波長多重光通信システム。
【発明の詳細な説明】
【技術分野】
【０００１】
本発明は、複数の波長を伝送路である１本の光ファイバに多重して伝送する波長多重光通信システムに関する。
【背景技術】
【０００２】
波長多重光通信システムは、近年の通信容量の増大に対応するシステムとして実用化されている。このようなシステムでは、信号品質を確保するために、波長多重されたそれぞれの波長毎の光レベルを適切に管理する必要がある。
【０００３】
光伝送路である光ファイバ内に波長多重した光信号を長距離伝送した場合の信号レベルの変動要因として、光ファイバへの応力等による瞬時レベル変動がある。これは、敷設工事等のメンテナンス時に光ファイバに応力をかけた場合や、架空ケーブル等の積雪により応力がかかり、光ファイバに局所的な曲げ損失の増加、または、減少が発生することが原因である。このような場合に、瞬時レベル変動が発生し、信号の受信器で信号再生能力を超え、信号エラーが発生することになる。
【０００４】
そのため、波長多重光通信システムは、伝送路区間での光損失を一定に制御するＡＬＣ（Ａｕｔｏｍａｔｉｃ  Ｌｅｖｅｌ  Ｃｏｎｔｒｏｌ）機能を有している。このＡＬＣ機能は、前段の波長多重装置の光出力レベルと本波長多重装置の光入力レベルとを比較して瞬時レベル変動を検知した場合に、可変光減衰器等のレベル等価部を制御することにより、瞬時レベル変動を緩和し、一定レベルになるようにするものである。
【０００５】
また、信号レベルの変動要因として、上述したファイバへの応力等による瞬時レベル変動以外に、多重波長数の変化によるレベル変動、すなわち、波長数レベル変動がある。このような多重波長数が変化する場合に、既存波長の光信号の伝送特性に影響を与えないようにする必要がある。
【０００６】
ところで、上記ＡＬＣ機能のうちのトータル光パワーレベルで制御を実施する方式のＡＬＣ機能では、波長数レベル変動時にも誤ってＡＬＣ機能のよる伝送路損失の制御を実施することにより、１波あたりの伝送光レベルを変化させてしまう課題が生じる。そこで、瞬時レベル変動であるか、または、波長数レベル変動であるかを判別し、瞬時レベル変動である場合にのみＡＬＣ機能のよる伝送路損失の制御を実施する必要がある。この判別方法として、光レベルの変動パターンが、瞬時レベル変動であるか、波長数レベル変動であるかを判別する固定のレベル閾値を各波長多重装置に設けることで実現している。
【０００７】
なお、これに関連する技術文献として、特許文献１には、受信される光信号の波長毎のレベルに応じた傾斜と予め設定された傾斜とを比較し、異常であると判定した場合に、まず、減衰量可変値を全ての可変光減衰器に均等配分し、その後、障害発生箇所が特定されると、その特定箇所に近い可変光減衰器に減衰量可変値の重みづけを行うと共に、全ての可変光減衰器の減衰量可変値が最適条件となるように再設定を行うようにしたＷＤＭ光伝送システムについて開示されている。
【先行技術文献】
【特許文献】
【０００８】
【特許文献１】特開２００３−２５８７３９号公報
【発明の概要】
【発明が解決しようとする課題】
【０００９】
従来の波長多重光通信システムは、以上のように構成されていたので、ＡＬＣ機能のよる伝送路損失の制御の実施により、瞬時レベル変動を緩和することはできるが、その瞬時レベル変動を緩和する際に過渡応答波形が発生する。しかし、各波長多重装置には、波長数レベル変動を判別するために固定のレベル閾値が設けられているので、後段の波長多重装置では、発生した過渡応答波形を瞬時レベル変動であると誤って判別し、さらにＡＬＣ機能のよる伝送路損失の制御を実施することにより、過渡応答波形が伝搬していく課題があった。
【００１０】
この発明は、上記のような課題を解消するために設けられたものであり、瞬時レベル変動と波長数レベル変動とを判別し、瞬時レベル変動である場合にのみ一定レベルになるような制御を行うと共に、過渡応答波形が後段に伝搬されていくのを抑制する波長多重光通信システムを得ることを目的とする。
【課題を解決するための手段】
【００１１】
この発明に係る波長多重光通信システムは、前段の光伝送路を介して波長多重光を入力し、レベル制御指令に応じてその波長多重光が一定レベルになるように制御するレベル等化部と、レベル等化部を通じた波長多重光を分波および合波する光パス制御部と、光パス制御部を通じた波長多重光を所定のレベルに増幅し、後段の光伝送路に出力する光増幅部と、前段の光伝送路を介して入力される波長多重光のレベル変動率を検出するレベル検出部と、レベル検出部により検出されるレベル変動率が予め設定されたレベル閾値よりも大きい場合にレベル等化部にレベル制御指令を出力する比較判定部とを備えた波長多重装置を複数段連続接続し、それら複数段連続接続された波長多重装置のうちのｎ（ｎは２以上の任意の自然数）段連続接続された波長多重装置の比較判定部のレベル閾値は、α＞Ｔｎ＞Ｔｎ−１＞・・・＞Ｔ２＞Ｔ１＞βに設定されたものである。
【発明の効果】
【００１２】
以上のように、この発明によれば、前段の波長多重装置の比較判定部のレベル閾値よりも後段の波長多重装置の比較判定部のレベル閾値が大きくなるように設定したので、前段になる程、レベル等化部の制御を実施しやすくし、光ファイバへの応力等による瞬時レベル変動を緩和し、一定レベルになるように制御することができる。また、後段になる程、レベル等化部の制御そのものによる過渡応答波形に応じた誤ったレベル等化部の制御を実施しにくくし、レベル等化部の制御そのものによる過渡応答波形が後段に伝搬されていくのを抑制することができる効果がある。
【図面の簡単な説明】
【００１３】
【図１】この発明の実施の形態１による波長多重装置を示す構成図である。
【図２】この発明の実施の形態１による波長多重光通信システムを示す構成図である。
【図３】この発明の実施の形態２による波長多重光通信システムを示す構成図である。
【発明を実施するための形態】
【００１４】
実施の形態１．
図１はこの発明の実施の形態１による波長多重装置を示す構成図であり、図において、波長多重装置１は、光ファイバからなる光伝送路２に接続されるものである。また、波長多重装置１は、電気信号を送受信するクライアントネットワーク３に接続されるものである。
【００１５】
波長多重装置１において、可変光減衰器（ＶＯＡ：Ｖａｒｉａｂｌｅ  Ｏｐｔｉｃａｌ  Ａｔｔｅｎｕｔｏｒ：レベル等化部）１１は、光伝送路２を介して波長多重光を入力し、後述する比較判定部１７からレベル制御指令が入力された場合に、波長多重光の瞬時レベル変動を緩和し、一定レベルになるように制御するものである。光増幅部（ＡＭＰ：Ａｍｐｌｉｆｉｅｒ）１２は、可変光減衰器１１を通じた波長多重光を所定のレベルに増幅するものである。
【００１６】
光パス制御部（Ｏ−ＡＤＭ：Ｏｐｔｉｃａｌ  Ａｄｄ  Ｄｒｏｐ  Ｍｕｌｔｉｐｌｅｘｉｎｇ）１３は、波長多重光を分波して各波長の光信号を出力すると共に、各波長の光信号を入力して合波するものである。クライアントインタフェース部１４は、クライアントネットワーク３側から入力される電気信号を光信号に変換すると共に、特定波長の光波長をその変換した光信号により変調して光パス制御部１３に出力し、また、光パス制御部１３から入力される特定波長の光信号を、検波して光信号のみ分離すると共に、電気信号に変換し、クライアントネットワーク３側に出力するものである。光増幅部（ＡＭＰ：Ａｍｐｌｉｆｉｅｒ）１５は、光パス制御部１３を通じた波長多重光を所定のレベルに増幅し、光伝送路２に出力するものである。
【００１７】
レベル検出部１６は、光伝送路２を介して入力される波長多重光のレベル変動率を検出するものである。比較判定部１７は、レベル検出部１６により検出されるレベル変動率が予め設定されたレベル閾値よりも大きい場合に可変光減衰器１１にレベル制御指令を出力するものである。なお、図１に示した波長多重装置１を光伝送路２を介して複数段連続接続することで波長多重光通信システムが構成される。各波長多重装置１において比較判定部１７に設定されるレベル閾値は、それぞれ個別のレベル閾値が設定されるが、詳しくは動作において説明する。
【００１８】
次に動作について説明する。
図１において、可変光減衰器１１は、光伝送路２を介して波長多重光を入力し、比較判定部１７からレベル制御指令が入力された場合に、ＡＬＣ機能により区間損失による波長多重光の瞬時レベル変動を緩和し、一定レベルになるように制御する。光増幅部１２は、可変光減衰器１１を通じた波長多重光を、光パス制御部１３の入力値として満たす所定のレベルに増幅する。
【００１９】
光パス制御部１３は、波長多重光を分波して各波長の光信号を出力し、クライアントインタフェース部１４は、光パス制御部１３から入力される特定波長の光信号を、検波して光信号のみ分離すると共に、電気信号に変換し、クライアントネットワーク３側に出力する。また、クライアントインタフェース部１４は、クライアントネットワーク３側から入力される電気信号を光信号に変換すると共に、特定波長の光波長をその変換した光信号により変調して光パス制御部１３に出力する。光パス制御部１３は、各波長の光信号を入力して合波する。ここで、クライアントインタフェース部１４において、新たな特定波長の光信号を追加したり、削除することにより、多重波長数の変化が生じる。光増幅部１５は、光パス制御部１３を通じた波長多重光を所定の送信レベルにまで増幅し、光伝送路２に出力する。
【００２０】
図２はこの発明の実施の形態１による波長多重光通信システムを示す構成図であり、図において、波長多重装置１を光伝送路２を介して複数段連続接続された波長多重光通信システムのうちの３段連続接続された波長多重装置１Ａ〜１Ｃのみを示したものである。
図１におけるレベル検出部１６および比較判定部１７については、波長多重装置１Ａ〜１Ｃ毎に動作が異なるので、以下、図２に基づいて説明する。
【００２１】
波長多重装置１Ａのレベル検出部１６ａは、光伝送路２を介して入力される地点ａの波長多重光のレベル変動量を検出する。ここで、測定時間間隔ｘ１［ｓ］でのレベル変動量ｙ１［ｄＢ］を測定し、測定される測定時間間隔ｘ１［ｓ］およびレベル変動量ｙ１［ｄＢ］からレベル検出部１６ａは、レベル変動率Ａ＝ｙ１／ｘ１を検出あるいは演算する。
【００２２】
比較判定部１７ａでは、予めレベル閾値Ｔ１が設定されている。このレベル閾値Ｔ１は、光伝送路２への応力等による瞬間的なレベル変動（瞬時レベル変動）時に想定されるレベル変動量をα、多重波長数の変化によるレベル変動（波長数レベル変動）時に想定されるレベル変動量をβとした場合に、α＞Ｔ１＞βを満たすように設定される。
【００２３】
比較判定部１７ａでは、レベル検出部１６ａにより検出されたレベル変動率Ａと予め設定されたレベル閾値Ｔ１とを比較し、レベル検出部１６ａにより検出されるレベル変動率Ａが予め設定されたレベル閾値Ｔ１よりも大きい場合（Ａ＞Ｔ１）に、可変光減衰器１１ａにレベル制御指令を出力する。可変光減衰器１１ａは、比較判定部１７ａからレベル制御指令が入力された場合に、ＡＬＣ機能により区間損失による波長多重光の瞬時レベル変動を緩和し、一定レベルになるように制御する。
【００２４】
図２は（１Ａ入力波形）のレベル変動率Ａがレベル閾値Ｔ１よりも大きいと判定され、可変光減衰器１１ａによりＡＬＣ機能による制御を実施し、区間損失による波長多重光の瞬時レベル変動を緩和しつつ、ＡＬＣによる（１Ｂ入力波形）に示す過渡応答波形を含む出力波形を出力したものを示している。なお、比較判定部１７ａでは、レベル検出部１６ａにより検出されるレベル変動率Ａが予め設定されたレベル閾値Ｔ１以下の場合（Ａ≦Ｔ１）に、入力される波長多重光をそのまま通過させても伝送品質に影響を与えることはないので、可変光減衰器１１ａにレベル制御指令を出力することなく、可変光減衰器１１ａは、ＡＬＣを実施することなく、入力される波長多重光を通過させる。
【００２５】
波長多重装置１Ｂのレベル検出部１６ｂは、前段の波長多重装置１Ａから光伝送路２を介して入力される地点ｂの波長多重光のレベル変動量を検出する。ここで、測定時間間隔ｘ２［ｓ］でのレベル変動量ｙ２［ｄＢ］を測定し、測定される測定時間間隔ｘ２［ｓ］およびレベル変動量ｙ２［ｄＢ］からレベル検出部１６ｂは、レベル変動率Ｂ＝ｙ２／ｘ２を検出あるいは演算する。
【００２６】
比較判定部１７ｂでは、予めレベル閾値Ｔ２が設定されている。このレベル閾値Ｔ２は、光伝送路２への応力等による瞬間的なレベル変動（瞬時レベル変動）時に想定されるレベル変動量をα、多重波長数の変化によるレベル変動（波長数レベル変動）時に想定されるレベル変動量をβとした場合に、α＞Ｔ２＞Ｔ１＞βを満たすように設定される。
【００２７】
比較判定部１７ｂでは、レベル検出部１６ｂにより検出されたレベル変動率Ｂと予め設定されたレベル閾値Ｔ２とを比較し、レベル検出部１６ｂにより検出されるレベル変動率Ｂが予め設定されたレベル閾値Ｔ２よりも大きい場合（Ｂ＞Ｔ２）に、可変光減衰器１１ｂにレベル制御指令を出力する。可変光減衰器１１ｂは、比較判定部１７ｂからレベル制御指令が入力された場合に、ＡＬＣ機能により区間損失による波長多重光の瞬時レベル変動を緩和し、一定レベルになるように制御する。
【００２８】
ところで、比較判定部１７ｂでは、レベル閾値Ｔ２がＴ２＞Ｔ１の条件で設定されている。よって、図２において、波長多重装置１Ａと波長多重装置１Ｂとの間の光伝送路２に区間損失による波長多重光の瞬時レベル変動が無く、ＡＬＣによる過渡応答波形を含む（１Ｂ入力波形）が入力される場合では、レベル閾値Ｔ２をレベル閾値Ｔ１よりも高くした分だけレベル変動率Ｂがレベル閾値Ｔ２よりも大きいと判定される可能性が小さくなるので、可変光減衰器１１ｂによるＡＬＣの実施を回避し、ＡＬＣによる過渡応答波形が後段に伝搬されるのを抑制することができる。図２の（１Ｃ入力波形）は、可変光減衰器１１ｂによるＡＬＣの実施を回避したことにより、波長多重装置１Ａからの過渡応答波形が減衰した波形を出力したものを示している。なお、比較判定部１７ｂでは、（１Ｂ入力波形）のレベル変動率Ｂがレベル閾値Ｔ２よりも大きいと判定される場合は、可変光減衰器１１ｂによりＡＬＣ機能による制御を実施し、区間損失による波長多重光の瞬時レベル変動を緩和しつつ、ＡＬＣによる過渡応答波形を含む出力波形を出力することになる。
【００２９】
波長多重装置１Ｃのレベル検出部１６ｃは、前段の波長多重装置１Ｂから光伝送路２を介して入力される地点ｃの波長多重光のレベル変動量を検出する。ここで、測定時間間隔ｘ３［ｓ］でのレベル変動量ｙ３［ｄＢ］を測定し、測定される測定時間間隔ｘ３［ｓ］およびレベル変動量ｙ３［ｄＢ］からレベル検出部１６ｃは、レベル変動率Ｃ＝ｙ３／ｘ３を検出あるいは演算する。
【００３０】
比較判定部１７ｃでは、予めレベル閾値Ｔ３が設定されている。このレベル閾値Ｔ３は、光伝送路２への応力等による瞬間的なレベル変動（瞬時レベル変動）時に想定されるレベル変動量をα、多重波長数の変化によるレベル変動（波長数レベル変動）時に想定されるレベル変動量をβとした場合に、α＞Ｔ３＞Ｔ２＞Ｔ１＞βを満たすように設定される。
【００３１】
比較判定部１７ｃでは、レベル検出部１６ｃにより検出されたレベル変動率Ｃと予め設定されたレベル閾値Ｔ３とを比較し、レベル検出部１６ｃにより検出されるレベル変動率Ｃが予め設定されたレベル閾値Ｔ３よりも大きい場合（Ｃ＞Ｔ３）に、可変光減衰器１１ｃにレベル制御指令を出力する。可変光減衰器１１ｃは、比較判定部１７ｃからレベル制御指令が入力された場合に、ＡＬＣ機能により区間損失による波長多重光の瞬時レベル変動を緩和し、一定レベルになるように制御する。
【００３２】
ところで、比較判定部１７ｃでは、レベル閾値Ｔ３がＴ３＞Ｔ２＞Ｔ１の条件で設定されている。よって、図２において、波長多重装置１Ｂと波長多重装置１Ｃとの間の光伝送路２に区間損失による波長多重光の瞬時レベル変動が無く、減衰されたＡＬＣによる過渡応答波形を含む（１Ｃ入力波形）が入力される場合では、レベル閾値Ｔ３をレベル閾値Ｔ１よりも高くした分だけレベル変動率Ｃがレベル閾値Ｔ３よりも大きいと判定される可能性が小さくなるので、可変光減衰器１１ｃによるＡＬＣの実施を回避し、ＡＬＣによる過渡応答波形が後段に伝搬されるのを抑制することができる。図２の（１Ｃ出力波形）は、可変光減衰器１１ｃによるＡＬＣの実施を回避したことにより、波長多重装置１Ａからの過渡応答波形がさらに減衰した波形を出力したものを示している。なお、比較判定部１７ｃでは、（１Ｃ入力波形）のレベル変動率Ｃがレベル閾値Ｔ３よりも大きいと判定される場合は、可変光減衰器１１ｃによりＡＬＣ機能による制御を実施し、区間損失による波長多重光の瞬時レベル変動を緩和しつつ、ＡＬＣによる過渡応答波形を含む出力波形を出力することになる。
【００３３】
なお、図２では、３段連続接続された波長多重装置について説明したが、ｎ（ｎは２以上の任意の自然数）段連続接続された波長多重装置を対象としても良く、その場合の波長多重装置の比較判定部の閾値は、α＞Ｔｎ＞Ｔｎ−１＞・・・＞Ｔ２＞Ｔ１＞β、但し、Ｔｎ〜Ｔ１は、ｎ段連続接続された波長多重装置のうちの最前段の波長多重装置の比較判定部の閾値をＴ１とし、以下、順に接続される後段の波長多重装置の比較判定部の閾値をＴ２・・・Ｔｎ−１とし、最後段の波長多重装置の比較判定部の閾値をＴｎとしたものに設定すれば良い。
【００３４】
以上のように、この実施の形態１によれば、前段の波長多重装置１Ａの比較判定部１７ａのレベル閾値Ｔ１よりも後段の波長多重装置１Ｂの比較判定部１７ｂのレベル閾値Ｔ２が大きくなるように設定したので、前段になる程、可変光減衰器１１のＡＣＬを実施しやすくし、光ファイバへの応力等による瞬時レベル変動を緩和し、一定レベルになるように制御することができる。また、後段になる程、上記瞬時レベル変動ではないにもかかわらず、可変光減衰器１１のＡＣＬそのものによる過渡応答波形に応じた可変光減衰器１１のＡＣＬを実施しにくくし、可変光減衰器１１のＡＣＬそのものによる過渡応答波形が後段に伝搬されていくのを抑制することができる。
【００３５】
実施の形態２．
上記実施の形態１では、前段の波長多重装置の比較判定部のレベル閾値よりも後段の波長多重装置の比較判定部のレベル閾値の方が常に大きくなるように設定したものについて説明したが、可変光減衰器１１のＡＣＬそのものによる過渡応答波形が既に抑制されていると見込まれる波長多重装置数の単位で、レベル閾値を繰り返すように設定しても良い。
【００３６】
図３はこの発明の実施の形態２による波長多重光通信システムを示す構成図であり、図において、波長多重装置１Ａの比較判定部１７ａのレベル閾値Ｔ１と、波長多重装置１Ｂの比較判定部１７ｂのレベル閾値Ｔ２は、上記実施の形態１と同様に、α＞Ｔ２＞Ｔ１＞βに設定されている。ここで、波長多重装置１Ａおよび波長多重装置１Ｂの２台の波長多重装置の単位で可変光減衰器１１のＡＣＬそのものによる過渡応答波形が既に抑制されていると見込まれる場合に、波長多重装置１Ｃの比較判定部１７ｃのレベル閾値Ｔ３を波長多重装置１Ａの比較判定部１７ａのレベル閾値Ｔ１と同一になるように設定し、後段の波長多重装置１Ｄ（図示せず）の比較判定部１７ｄ（図示せず）のレベル閾値Ｔ４を波長多重装置１Ｂの比較判定部１７ｂのレベル閾値Ｔ２と同一になるように設定する。
【００３７】
このように、可変光減衰器１１のＡＣＬそのものによる過渡応答波形が既に抑制されていると見込まれる２台の波長多重装置の単位で、前段の波長多重装置の比較判定部のレベル閾値よりも後段の波長多重装置の比較判定部のレベル閾値の方が大きくなるように、且つこれを繰り返すように設定する。
【００３８】
以上のように、この実施の形態２によれば、可変光減衰器１１のＡＣＬそのものによる過渡応答波形が既に抑制されていると見込まれる２台の波長多重装置の単位で、前段の波長多重装置の比較判定部のレベル閾値よりも後段の波長多重装置の比較判定部のレベル閾値の方が大きくなるように、且つこれを繰り返すように設定したので、２台の波長多重装置の連続接続段数を単位として閾値が大きくなるように設定することができ、前段による可変光減衰器１１のＡＣＬの実施のしやすさと、後段による可変光減衰器１１のＡＣＬの実施のしにくさとの両者の効果をさらに活かすことができ、可変光減衰器１１のＡＣＬそのものによる過渡応答波形が後段に伝搬されていくのを即座に抑制することができる。
【００３９】
なお、上記実施の形態２によれば、２台の波長多重装置の単位でレベル閾値を繰り返すように設定したが、ｎ（ｎは２以上の任意の自然数）台の波長多重装置の単位でレベル閾値を繰り返すように設定しても良く、同様な効果が得られる。
【００４０】
また、ｎ台等の予め決められた台数を単位とすることなく、可変光減衰器１１のＡＣＬそのものによる過渡応答波形が既に抑制されていると見込まれる波長多重装置の単位であれば何台を単位としても良く、例えば、初めの３台を一つの単位とし、次の５台を一つの単位とし、さらに次の２台を一つの単位とする等、その単位の波長多重装置間で前段の波長多重装置の比較判定部のレベル閾値よりも後段の波長多重装置の比較判定部のレベル閾値の方が大きくなるように、且つこれを繰り返すように設定するようにしても良く、同様な効果が得られると共に、レベル閾値の設定にさらに自由度を得ることができる。
【００４１】
さらに、単位毎に異なるレベル閾値を設定するようにしても良い。例えば、初めの３台を一つの単位とし、レベル閾値をＴ３＞Ｔ２＞Ｔ１に設定し、次の４台を一つの単位とし、レベル閾値をＴ７＞Ｔ６＞Ｔ５＞Ｔ４に設定するようにしても良く、同様な効果が得られると共に、レベル閾値の設定にさらに自由度を得ることができる。
【符号の説明】
【００４２】
１Ａ〜１Ｃ  波長多重装置、２  光伝送路、３  クライアントネットワーク、１１，１１ａ〜１１ｃ  可変光減衰器（レベル等化部）、１２，１２ａ〜１２ｃ，１５，１５ａ〜１５ｃ  光増幅部、１３，１３ａ〜１３ｃ  光パス制御部、１４  クライアントインタフェース部、１６，１６ａ〜１６ｃ  レベル検出部、１７，１７ａ〜１７ｃ  比較判定部。
【図１】
0005404445.tif 000002
【図２】
0005404445.tif 000003
【図３】
0005404445.tif 000004